(57)【要約】  【課題】  接続相手の存在しない接続端子の部分でショート不良の発生を防止できる液晶表示装置を提供する。  【解決手段】  液晶表示装置１は、第１のＸ電極線１１、第１のＹ電極線１２を有する第１の液晶パネル１０と、第１のＸ電極線１０よりも本数の少ない第２のＸ電極線２１、第２のＹ電極線２２を有する第２の液晶パネル２０と、第１、第２の液晶パネル１０、２０を連結し、各第２のＸ電極線２１、各第２のＹ電極線２２の接続端子に接続される第２Ｘ電極線用配線４１、第２Ｙ電極線用配線４２を有する回路基板４０と、第１、第２の液晶パネル１０、２０の表示を駆動するドライバ３０とを備える。第１の液晶パネル１０と回路基板４０の連結により、各第２Ｘ電極線用配線４１の接続端子が一部の第１のＸ電極線１１ａの接続端子に接続される。接続相手の存在しない残りの第１のＸ電極線１１ｂの接続端子が絶縁膜で覆われている。【選択図】      図１
2005148513.tif 000002
【特許請求の範囲】
【請求項１】
多数の第１のＸ電極線、及び多数の第１のＹ電極線を有する第１の液晶パネルと、前記第１のＸ電極線よりも本数の少ない多数の第２のＸ電極線、及び多数の第２のＹ電極線を有する第２の液晶パネルと、前記第１、第２の液晶パネルを連結し、前記各第２のＸ電極線及び前記各第２のＹ電極線の一端部に存する接続端子に接続される第２Ｘ電極線用配線及び第２Ｙ電極線用配線を有する屈曲性のある回路基板と、前記第１、第２の液晶パネルの表示を駆動する１つのドライバと、を備えた液晶表示装置において、
前記第１の液晶パネルは、前記各第２Ｙ電極線用配線の一端部に存する接続端子に接続されるバイパス線を有し、
前記ドライバは、前記各第１のＸ電極線及び前記各第１のＹ電極線の一端部に存する接続端子に接続されるとともに、前記各バイパス線の一端部に存する接続端子に接続されており、
前記各第２Ｘ電極線用配線の一端部に存する接続端子が前記各第１のＸ電極線のうちの一部の第１のＸ電極線の他端部に存する接続端子に接続され、残りの第１のＸ電極線の他端部に存する接続端子が絶縁膜で覆われていることを特徴とする液晶表示装置。
【請求項２】
前記各第１のＸ電極線が前記絶縁膜で一体的に覆われていることを特徴とする請求項１に記載の液晶表示装置。
【発明の詳細な説明】
【技術分野】
【０００１】
本発明は、液晶表示装置に関し、特に、互いに独立した複数の液晶パネルを備えた液晶表示装置に関する。
【背景技術】
【０００２】
携帯電話機を代表とするモバイル機器には、通常、表示画面が必要であり、その表示画面として液晶パネルを備えている。つまりモバイル機器は、一種の液晶表示装置であると言える。特に、近年流通しているモバイル機器の多くは、コンパクト性に富む折り畳みタイプであり、この折り畳みタイプのモバイル機器においては、利便性の観点から、開いた際に使用者に向けられ閉じた際に隠れる内面のみならず、外面にも表示画面を備えたもの、すなわち複数の液晶パネルを備えたものが一般的となっている。
【０００３】
このような複数の液晶パネルを備えた液晶表示装置は、従来は、以下に示すような構成で実現されていた。つまり従来の液晶表示装置は、大きくは、多数の第１のＸ電極線、及び多数の第１のＹ電極線を有する第１の液晶パネルと、第１のＸ電極線と同一本数の多数の第２のＸ電極線、及び多数の第２のＹ電極線を有する第２の液晶パネルと、第１、第２の液晶パネルを連結し、各第２のＸ電極線及び各第２のＹ電極線の一端部に存する接続端子に接続される第２Ｘ電極線用配線及び第２Ｙ電極線用配線を有する屈曲性のある回路基板（例えば、ＦＰＣ（Flexible Printed Circuit））と、第１、第２の液晶パネルの表示を駆動する１つのドライバ（例えば、ＩＣ）と、を備える。第１の液晶パネルは、各第２Ｙ電極線用配線の一端部に存する接続端子に接続されるバイパス線を有する。ドライバは、各第１のＸ電極線及び各第１のＹ電極線の一端部に存する接続端子に接続されるとともに、各バイパス線の一端部に存する接続端子に接続される。そして、各第２Ｘ電極線用配線の一端部に存する接続端子が、各第１のＸ電極線の他端部に存する接続端子に接続される。（例えば、特許文献１、２、３参照）。
【０００４】
このような構成のもと、第１の液晶パネルを表示させる際には、ドライバからの指令により、各第１のＸ電極線にデータ信号が与えられるとともに、各第１のＹ電極線に選択信号が与えられ、第１の液晶パネルの表示が行われる。他方、第２の液晶パネルを表示させる際には、同じくドライバからの指令により、全ての各第１のＸ電極線、及び各第２Ｘ電極線用配線を順に経て、各第２のＸ電極線にデータ信号が与えられるとともに、各バイパス線、及び各第２Ｙ電極線用配線を順に経て、各第２のＹ電極線に選択信号が与えられ、第２の液晶パネルの表示が行われる。
【０００５】
このような液晶表示装置が折り畳みタイプのモバイル機器として用いられる場合、第１の液晶パネルは、そのモバイル機器の外形を構成するケースの内面に設けられることで主の表示画面として活用され、他方の第２の液晶パネルは、そのケースの外面に設けられることで補助の表示画面として活用される。そうすると、第２の液晶パネルには、それ程多い画素数が要求されるわけではなく、サイズの小さいもので足りる場合、すなわち第２のＸ電極線の本数が第１のＸ電極線より少なくても十分である場合が多い。この場合の液晶表示装置の構成を図２に示す。
【０００６】
図２に示すように、液晶表示装置１０１は、上記の液晶表示装置と同様、大きくは、矩形の第１の液晶パネル１１０と、この第１の液晶パネル１１０よりもサイズの小さい矩形の第２の液晶パネル１２０と、第１の液晶パネル１１０及び第２の液晶パネル１２０を連結する回路基板（不図示）と、第１の液晶パネル１１０及び第２の液晶パネル１２０の表示を駆動する１つのドライバ１３０と、を備える。第１の液晶パネル１１０は、多数の第１のＸ電極線１１１、及び多数の第１のＹ電極線１１２を有し、他方の第２の液晶パネル１２０は、第１のＸ電極線１１１よりも本数の少ない多数の第２のＸ電極線１２１、及び多数の第２のＹ電極線１２２を有する。回路基板は、各第２のＸ電極線１２１及び各第２のＹ電極線１２２の一端部に存する接続端子に接続される第２Ｘ電極線用配線１４１及び第２Ｙ電極線用配線１４２を有する。また、第１の液晶パネル１１０は、各第２Ｙ電極線用配線１４２の一端部に存する接続端子に接続されるバイパス線１１３を有する。
【０００７】
ここで、第１の液晶パネル１１０においては、第１のＸ電極線１１１が、一端縁（図２では下端縁）の近傍から他端縁（図２では上端縁）の近傍まで延在している。これは、第１の液晶パネル１１０が、もともと大判で製作された液晶パネルから一旦切り出された後、性能検査を経て最終的に余長部分１１０ａを分断されてなるからである。つまり、最終分断される前の液晶パネルのままで性能検査を行うべく、余長部分１１０ａに設けた検査用パッド１１５まで各第１のＸ電極線１１１を引き出しているからである（図３参照）。更に、第１の液晶パネル１１０においては、バイパス線１１３も、一端縁（図２では下端縁）の近傍から他端縁（図２では上端縁）の近傍まで延在し、第１のＹ電極線１１２は、一端縁（図２では下端縁）の近傍まで延出している。
【０００８】
ドライバ１３０は、各第１のＸ電極線１１１及び各第１のＹ電極線１１２の一端部（図２では下端部）に存する接続端子に接続されるとともに、各バイパス線１１３の一端部（図２では下端部）に存する接続端子に接続される。そして、各第２Ｘ電極線用配線１４１の一端部に存する接続端子が、各第１のＸ電極線１１１のうちの一部の第１のＸ電極線１１１ａ（図２では左側に位置する一群）の他端部（図２では上端部）に存する接続端子に接続される。なお、残りの第１のＸ電極線１１１ｂ（図２では右側に位置する一群）の他端部に存する接続端子は何ら接続されない。
【０００９】
このような構成のもと、第１の液晶パネル１１０を表示させる際には、ドライバ１３０からの指令により、各第１のＸ電極線１１１（１１１ａ，１１１ｂ）にデータ信号が与えられるとともに、各第１のＹ電極線１１２に選択信号が与えられ、第１の液晶パネル１１０の表示が行われる。他方、第２の液晶パネル１２０を表示させる際には、同じくドライバ１３０からの指令により、一部の各第１のＸ電極線１１１ａ、及び各第２Ｘ電極線用配線１４１を順に経て、各第２のＸ電極線１２１にデータ信号が与えられるとともに、各バイパス線１１３、及び各第２Ｙ電極線用配線１４２を順に経て、各第２のＹ電極線１２２に選択信号が与えられ、第２の液晶パネル１２０の表示が行われる。
【特許文献１】特開２００１−６７０４９号公報
【特許文献２】特開２００１−２８２１４５号公報
【特許文献３】特開２００３−１３１２５０号公報
【発明の開示】
【発明が解決しようとする課題】
【００１０】
ところで、上記した各種接続端子の部分においては、実際の接続の際、接続相手の有無にかかわらず、接続に支障なきよう絶縁膜が存在しないのが通例である。ここで特に、各第２Ｘ電極線用配線１４１と一部の各第１のＸ電極線１１１ａとの接続、及び各第２Ｙ電極線用配線１４２とバイパス線１１３との接続は、一般に、第１の液晶パネル１１０と回路基板との連結とともに、各接続端子間に異方性導電膜（ＡＣＦ（Anisotropic Conductive Film））を介在させてなされる。その際、従来の液晶表示装置１０１では、実質的に接続相手の存在しない残りの各第１のＸ電極線１１１ｂの他端部に存する接続端子の部分においても、異方性導電膜が介在されるため、これらの部分の相互の接続端子間で予定しないショート不良が発生する場合がある。このショート不良は、第２の液晶パネル１２０の表示には特に問題とならないが、第１の液晶パネル１１０の表示に対して不具合をもたらす。
【００１１】
そこで本発明は、上記の問題に鑑みてなされたものであり、接続相手の存在しない接続端子の部分における相互の接続端子間で予定しないショート不良の発生を防止できる液晶表示装置を提供することを目的とするものである。
【課題を解決するための手段】
【００１２】
上記目的を達成するため、本発明は、多数の第１のＸ電極線、及び多数の第１のＹ電極線を有する第１の液晶パネルと、前記第１のＸ電極線よりも本数の少ない多数の第２のＸ電極線、及び多数の第２のＹ電極線を有する第２の液晶パネルと、前記第１、第２の液晶パネルを連結し、前記各第２のＸ電極線及び前記各第２のＹ電極線の一端部に存する接続端子に接続される第２Ｘ電極線用配線及び第２Ｙ電極線用配線を有する屈曲性のある回路基板と、前記第１、第２の液晶パネルの表示を駆動する１つのドライバと、を備えた液晶表示装置において、前記第１の液晶パネルは、前記各第２Ｙ電極線用配線の一端部に存する接続端子に接続されるバイパス線を有し、前記ドライバは、前記各第１のＸ電極線及び前記各第１のＹ電極線の一端部に存する接続端子に接続されるとともに、前記各バイパス線の一端部に存する接続端子に接続されており、前記各第２Ｘ電極線用配線の一端部に存する接続端子が前記各第１のＸ電極線のうちの一部の第１のＸ電極線の他端部に存する接続端子に接続され、残りの第１のＸ電極線の他端部に存する接続端子が絶縁膜で覆われている。
【００１３】
これにより、各第１のＸ電極線のうち、実質的に接続相手の存在しない残りの各第１のＸ電極線の他端部に存する接続端子が絶縁膜で覆われているため、これらの部分の相互の接続端子間は、絶縁状態で隔離される。
【００１４】
ここで、前記各第１のＸ電極線が前記絶縁膜で一体的に覆われていることが好ましい。通常、第１の液晶パネルにおいては、これを画成するＴＦＴガラス上に各第１のＸ電極線が形成され、更に各第１のＸ電極線を含めて覆う絶縁膜が形成されており、この絶縁膜が接続相手の存在しない接続端子を覆う絶縁膜として活用できれば、製造コストの悪化を防止できるからである。
【発明の効果】
【００１５】
本発明の液晶表示装置によれば、各第１のＸ電極線のうち、実質的に接続相手の存在しない残りの各第１のＸ電極線の他端部に存する接続端子が絶縁膜で覆われているため、これらの部分の相互の接続端子間は、絶縁状態で隔離され、その結果、予定しないショート不良の発生を確実に防止することが可能になる。従って、第２の液晶パネルに対しては勿論のこと、第１の液晶パネルに対しても表示が損なわれることはない。
【発明を実施するための最良の形態】
【００１６】
以下に、本発明の液晶表示装置の一実施形態について図面を参照しながら詳述する。図１は本発明の一実施形態である液晶表示装置の要部構成を示す平面図である。なお、本実施形態の液晶表示装置は、表示画面である液晶パネルを複数備えた折り畳みタイプのモバイル機器がその対象であり、便宜上２つの液晶パネルを備えたものとして説明する。
【００１７】
図１に示すように、液晶表示装置１は、大きくは、矩形の第１の液晶パネル１０と、この第１の液晶パネル１０よりもサイズの小さい矩形の第２の液晶パネル２０と、第１の液晶パネル１０及び第２の液晶パネル２０を連結する屈曲性のあるＦＰＣ等の回路基板４０と、第１の液晶パネル１０及び第２の液晶パネル２０の表示を駆動するＩＣ等の１つのドライバ３０と、を備える。第１の液晶パネル１０は、例えば液晶表示装置１の外形を構成するケース（不図示）の内面に設けられることで主の表示画面として活用され、他方の第２の液晶パネル２０は、そのケースの外面に設けられることで補助の表示画面として活用される。
【００１８】
第１の液晶パネル１０は、多数の第１のＸ電極線１１、及び多数の第１のＹ電極線１２を有し、他方の第２の液晶パネル２０は、第１のＸ電極線１１よりも本数の少ない多数の第２のＸ電極線２１、及び多数の第２のＹ電極線２２を有する。回路基板４０は、各第２のＸ電極線２１及び各第２のＹ電極線２２の一端部に存する接続端子に接続される第２Ｘ電極線用配線４１及び第２Ｙ電極線用配線４２を有する。また、第１の液晶パネル１０は、各第２Ｙ電極線用配線４２の一端部に存する接続端子に接続されるバイパス線１３を有する。
【００１９】
また、第１の液晶パネル１０においては、第１のＸ電極線１１が、一端縁（図１では下端縁）の近傍から他端縁（図１では上端縁）の近傍まで延在している。これは、冒頭の背景技術で述べた説明と同様、第１の液晶パネル１０が、もともと大判で製作された液晶パネルから一旦切り出された後、性能検査を経て最終的に余長部分１０ａを分断されてなるからである（図３参照）。更に、第１の液晶パネル１０においては、バイパス線１３も、一端縁（図１では下端縁）の近傍から他端縁（図１では上端縁）の近傍まで延在し、第１のＹ電極線１２は、一端縁（図１では下端縁）の近傍まで延出している。
【００２０】
また、第２の液晶パネル２０においては、各第２のＸ電極線２１及び各第２のＹ電極線２２が、一端縁（図１では下端縁）の近傍まで延出している。
【００２１】
ここで本実施形態では、第１の液晶パネル１０における各第１のＹ電極線１２は、これらを引き回すためのスペースの制限から、２つの群に分割されるとともに、一方の群に属する第１のＹ電極線１２ａ（図１では上側に位置する一群）における一端部が、第１の液晶パネル１０の一側部（図１では右側部）を経て一端縁の近傍まで延出し、他方の群に属する第１のＹ電極線１２ｂ（図１では下側に位置する一群）における一端部が、第１の液晶パネル１０の他側部（図１では左側部）を経て一端縁の近傍まで延出している。同様に、第２の液晶パネル２０における各第２のＹ電極線２２は、２つの群に分割されるとともに、一方の群に属する第２のＹ電極線２２ａ（図１では上側に位置する一群）における一端部が、第２の液晶パネル２０の一側部（図１では右側部）を経て一端縁の近傍まで延出し、他方の群に属する第２のＹ電極線２２ｂ（図１では下側に位置する一群）における一端部が、第２の液晶パネル２０の他側部（図１では左側部）を経て一端縁の近傍まで延出している。
【００２２】
そのため、回路基板４０においては、各第２Ｙ電極線用配線４２が、各第２Ｘ電極線用配線４１全てを挟むように、一方の群の各第２のＹ電極線２２ａに対応する第２Ｙ電極線用配線４２ａ（図１では右側）と、他方の群の各第２のＹ電極線２２ｂに対応する第２Ｙ電極線用配線４２ｂ（図１では左側）と、に分割された態様をなす。また、第１の液晶パネル１０においては、各バイパス線１３が、各第１のＸ電極線１１及び各第１のＹ電極線１２全てを挟むように、一方の群の各第２Ｙ電極線用配線４２ａに対応するバイパス線１３ａ（図１では右側）と、他方の群の各第２Ｙ電極線用配線４２ｂに対応するバイパス線１３ｂ（図１では左側）と、に分割された態様をなす。
【００２３】
ドライバ３０は、各第１のＸ電極線１１及び各第１のＹ電極線１２（１２ａ，１２ｂ）の一端部（図１では下端部）に存する接続端子に接続されるとともに、各バイパス線１３（１３ａ，１３ｂ）の一端部（図１では下端部）に存する接続端子に接続される。この接続はフリップチップ方式にて行われる。
【００２４】
そして、第１の液晶パネル１０と回路基板４０との一括した連結とともに、各第２Ｘ電極線用配線４１の一端部（図１では下端部）に存する接続端子が、各第１のＸ電極線１１のうちの一部の第１のＸ電極線１１ａ（図１では左側に位置する一群）の他端部（図１では上端部であって、符号Ａの部分）に存する接続端子に接続されるとともに、各第２Ｙ電極線用配線４２（４２ａ，４２ｂ）の一端部（図１では下端部）に存する接続端子が、各バイパス線１３（１３ａ，１３ｂ）の他端部（図１では上端部）に存する接続端子に接続される。また、第２の液晶パネル２０と回路基板４０との一括した連結とともに、各第２Ｘ電極線用配線４１の他端部（図１では上端部）に存する接続端子が、各第２のＸ電極線２１の一端部（図１では下端部）に存する接続端子に接続されるとともに、各第２Ｙ電極線用配線４２（４２ａ，４２ｂ）が、各第２のＹ電極線２２（２２ａ，２２ｂ）の一端部（図１では下端部）に存する接続端子に接続される。その際、これらの各種接続端子の部分においては、接続に支障なきよう絶縁膜が存在することなく、異方性導電膜を介在させて接続される。
【００２５】
ここで、各第１のＸ電極線１１のうちの残りの第１のＸ電極線１１ｂ（図１では右側に位置する一群）の他端部（図１の符号Ｂの部分）に存する接続端子は、実質的に接続相手の存在しない接続端子であって、導電膜で覆われている。そのため、第１の液晶パネル１０と回路基板４０との一括した連結に際し、残りの各第１のＸ電極線１１ｂの他端部に存する接続端子は、相互に絶縁状態で隔離されることになり、その結果、これらの接続端子間では、ショート不良が発生する余地はない。
【００２６】
またここで、本実施形態では、各第１のＸ電極線１１が、上記した残りの第１のＸ電極線１１ｂの接続端子を覆う絶縁膜で一体的に覆われている。換言すれば、通常、第１の液晶パネル１０においては、これを画成するＴＦＴガラス上に各第１のＸ電極線１１が形成され、更に各第１のＸ電極線１１を含めて覆う絶縁膜が形成されており、この絶縁膜が上記した残りの第１のＸ電極線１１ｂの接続端子を覆っている。これにより、新たに絶縁膜を準備する必要がなくなるため、製造コストの悪化を防止できる点で有効である。なお、このような絶縁膜は、最も表層に形成された保護用膜であっても構わない。
【００２７】
このような構成のもと、第１の液晶パネル１０を表示させる際には、ドライバ３０からの指令により、各第１のＸ電極線１１（１１ａ，１１ｂ）にデータ信号が与えられるとともに、各第１のＹ電極線１２に選択信号が与えられ、第１の液晶パネル１０の表示が行われる。他方、第２の液晶パネル２０を表示させる際には、同じくドライバ３０からの指令により、一部の各第１のＸ電極線１１ａ、及び各第２Ｘ電極線用配線４１を順に経て、各第２のＸ電極線２１にデータ信号が与えられるとともに、各バイパス線１３（１３ａ，１３ｂ）、及び各第２Ｙ電極線用配線４２（４２ａ，４２ｂ）を順に経て、各第２のＹ電極線２２（２２ａ，２２ｂ）に選択信号が与えられ、第２の液晶パネル２０の表示が行われる。
【００２８】
このような液晶表示装置１によれば、各第１のＸ電極線１１のうち、実質的に接続相手の存在しない残りの各第１のＸ電極線１１ｂの他端部に存する接続端子が絶縁膜で覆われているため、これらの部分の相互の接続端子間での予定しないショート不良の発生を確実に防止することが可能になる。従って、第２の液晶パネル２０に対しては勿論のこと、第１の液晶パネル１０に対しても表示が損なわれることはない。
【００２９】
なお、実際には、ドライバ３０には、不図示の制御部から制御信号を受け取るためのＦＣＰ等の主回路基板５０が接続されており、ドライバ３０は、その主回路基板５０を経た制御信号に基づいて、第１の液晶パネル１０や第２の液晶パネル２０を表示させるためのデータ信号及び選択信号を送出する。
【００３０】
その他本発明は上記の実施形態に限定されず、本発明の趣旨を逸脱しない範囲で、種々の変更が可能である。例えば、上記の実施形態では、１つのドライバを起点に、１つ目の液晶パネル（第１の液晶パネル１０に相当）と、この１つ目の液晶パネルよりもＸ電極線の少ない２つ目の液晶パネル（第２の液晶パネル２０に相当）と、を順に連設しているが、更に、２つ目の液晶パネルよりもＸ電極線の少ない３つ目の液晶パネルを連設しても構わないし、２つ目の液晶パネルと同一本数のＸ電極線を有する３つ目の液晶パネルを連設しても構わない。また、１つのドライバを起点に、１つ目の液晶パネルと、この１つ目の液晶パネルと同一本数のＸ電極線を有する２つ目の液晶パネル（第１の液晶パネル１０に相当）と、この１つ目の液晶パネルよりもＸ電極線の少ない３つ目の液晶パネル（第２の液晶パネル２０に相当）と、を順に連設しても構わない。つまり、液晶パネルの数に限定は無い。
【産業上の利用可能性】
【００３１】
本発明は、互いに独立した複数の液晶パネルを備えた液晶表示装置に有用である。
【図面の簡単な説明】
【００３２】
【図１】本発明の一実施形態である液晶表示装置の要部構成を示す平面図である。
【図２】従来の液晶表示装置の要部構成を示す平面図である。
【図３】一般的な液晶パネルの製作段階における一過程を示す平面図である。
【符号の説明】
【００３３】
１    液晶表示装置
１０    第１の液晶パネル
１１    第１のＸ電極線
１２，１２ａ，１２ｂ    第１のＹ電極線
１３，１３ａ，１３ｂ    バイパス線
２０    第２の液晶パネル
２１    第２のＸ電極線
２２，２２ａ，２２ｂ    第２のＹ電極線
３０    ドライバ
４０    回路基板
４１    第２Ｘ電極線用配線
４２，４２ａ，４２ｂ    第２Ｙ電極線用配線
【図１】
2005148513.tif 000003
【図２】
2005148513.tif 000004
【図３】
2005148513.tif 000005